(57)【特許請求の範囲】
【請求項１】
枠体と、この枠体に開閉自在に支持される面材と、この面材の閉鎖状態を維持する閉鎖維持装置とを備えた建具であって、
前記枠体は、上枠および下枠と左右の縦枠とを有し、
面材は、上框および下框と左右の縦框を框組みした内部にパネル材を嵌め込んで構成され、
前記閉鎖維持装置は、前記縦框のうち戸先側の縦框に設けられる装置本体と、前記戸先側の縦框に対向する前記縦枠に設けられる受け体とを備えて構成され、
前記装置本体は、前記戸先側の縦框に固定される支持部と、この支持部に移動自在に支持されて前記戸先側の縦框に内蔵された移動部と、前記移動部を磁力で吸引して前記受け体側の第１位置から前記縦框の見付け方向に離れた第２位置まで移動させる吸引部と、前記移動部が前記戸先側の縦框から前記縦框の見付け方向に突出しない範囲内で前記第１の位置を調整可能な位置調整手段とを有し、
前記受け体は、前記吸引部と反対方向かつ当該吸引部による吸引力よりも大きな磁力で前記移動部を吸引可能に構成され、
前記面材の閉鎖状態において、前記受け体に吸引されて前記第１位置に移動した前記移動部と当該受け体との間に作用する磁力によって当該面材の閉鎖状態が維持され、前記面材の開放状態において、前記受け体から離隔された前記移動部が前記吸引部に向かって前記第２位置に移動可能に構成され、
前記位置調整手段は、前記移動部の前記受け体に対する対向側に配置され、前記支持部の内部に係止される裏板と、前記戸先側の縦框および前記支持部を貫通して前記裏板に螺合されるイモねじとを有し、前記イモねじの先端に前記移動部を当接させることで、前記第１位置を規定できるように構成されている建具。
【発明の詳細な説明】
【技術分野】
【０００１】
本発明は、枠体に開閉自在に支持された面材の閉鎖状態を維持する維持装置を有した建具に関する。
【背景技術】
【０００２】
従来、各種の開閉形式で面材が開閉される建具において、閉鎖した面材を枠体に対して係止することで面材の閉鎖状態を維持するラッチ装置が利用されている。このようなラッチ装置としては、ばねで付勢されたラッチボルトなどが受け孔等に機械的に係合する形式のものが一般的であるが、機械的に係合させた場合には、面材を開放する際に手動などで係合の解除操作を行う必要がある。一方、機械的な係合に換えて磁石を用いたマグネット式のラッチ装置（マグネットキャッチャー）が提案されている（例えば、特許文献１参照）。
特許文献１に記載のラッチ装置は、引戸の戸先に設けられる本体と、枠体に設けられる受体とを備え、本体は、ケースと、このケースから突没自在に設けられた磁石と、この磁石を没入側に付勢するコイルばねとを有して構成されている。このようなラッチ装置では、引戸を閉じて戸先が枠に接近すると、受体に吸引された磁石がコイルばねの付勢力に抗してケースから突出し、この磁石と受体とが互いに吸着することによって、引戸の閉鎖状態が維持されるようになっている。
【先行技術文献】
【特許文献】
【０００３】
【特許文献１】特許第４１９０６４２号公報
【発明の概要】
【発明が解決しようとする課題】
【０００４】
しかしながら、特許文献１に記載されたようなマグネット式のラッチ装置では、受体に吸着した状態の磁石がコイルばねによって没入側に付勢されていることから、面材（引戸）を開放する際には、磁石と受体との吸着が解除されるよりも前に先ず、コイルばねの付勢力に抗してケースから磁石が突出することとなり、その後さらに、吸着力よりも大きな操作力で面材を開放操作することで吸着が解除され、これにより面材を開放することができる。このため、磁石と受体との吸着力をコイルばねの付勢力よりも大きく設定しておく必要があるとともに、コイルばねの付勢力は磁石の突出距離に比例して大きくなることから、面材を開放する際に、コイルばねの付勢力よりも大きな吸着力に抗して面材を操作する操作力が必要になってしまう。さらに、磁石と受体との吸着が解除された際には、突出した磁石がコイルばねの付勢力によって勢いよくケース内に戻ることから、磁石とケースとが衝突して大きな衝突音が発生する可能性もある。
【０００５】
本発明の目的は、比較的小さな操作力で面材を開放できるとともに開閉時の音の発生を抑制して利便性を高めることができる建具を提供することにある。
【課題を解決するための手段】
【０００６】
本発明の建具は、枠体と、この枠体に開閉自在に支持される面材と、この面材の閉鎖状態を維持する閉鎖維持装置とを備えた建具であって、前記枠体は、上枠および下枠と左右の縦枠とを有し、面材は、上框および下框と左右の縦框を框組みした内部にパネル材を嵌め込んで構成され、前記閉鎖維持装置は、前記縦框のうち戸先側の縦框に設けられる装置本体と、前記戸先側の縦框に対向する前記縦枠に設けられる受け体とを備えて構成され、前記装置本体は、前記戸先側の縦框に固定される支持部と、この支持部に移動自在に支持されて前記戸先側の縦框に内蔵された移動部と、前記移動部を磁力で吸引して前記受け体側の第１位置から前記縦框の見付け方向に離れた第２位置まで移動させる吸引部と、前記移動部が前記戸先側の縦框から前記縦框の見付け方向に突出しない範囲内で前記第１の位置を調整可能な位置調整手段とを有し、前記受け体は、前記吸引部と反対方向かつ当該吸引部による吸引力よりも大きな磁力で前記移動部を吸引可能に構成され、前記面材の閉鎖状態において、前記受け体に吸引されて前記第１位置に移動した前記移動部と当該受け体との間に作用する磁力によって当該面材の閉鎖状態が維持され、前記面材の開放状態において、前記受け体から離隔された前記移動部が前記吸引部に向かって前記第２位置に移動可能に構成され、前記位置調整手段は、前記移動部の前記受け体に対する対向側に配置され、前記支持部の内部に係止される裏板と、前記戸先側の縦框および前記支持部を貫通して前記裏板に螺合されるイモねじとを有し、前記イモねじの先端に前記移動部を当接させることで、前記第１位置を規定できるように構成されていることを特徴とする。
【０００７】
ここで、本発明の建具としては、出入り口に用いられるドアや開き窓のように面材が回動開閉自在に支持されたものでもよいし、引戸や引違い窓、片引き窓のように面材がスライド開閉自在に支持されたものでもよく、面材の開閉形式は特に限定されるものではない。すなわち、面材が開閉される際に枠体との間で互いに離間、接近する位置に閉鎖維持装置が設けられていればよく、このような互いに離間、接近する位置の一方および他方に閉鎖維持装置の装置本体および受け体が設けられていればよい。その際、装置本体の移動部が第１位置と第２位置との間を移動する移動方向と、枠体および面材の開閉方向（離間、接近する方向）とは、互いに一致していてもよいし相違していてもよく、互いに独立に設定することができる。また、面材の閉鎖状態において、移動部と受け体とは接触（吸着）していてもよいし、所定間隔だけ離れて接近するだけでもよく、すなわち、磁力によって互いに吸引される程度の距離に位置していればよい。さらに、互いに磁力で吸引される移動部と吸引部、および移動部と受け体において、磁性を有する部位（磁石などを有する部位）は移動部のみでもよいし（吸引部と受け体が鉄等の吸引される材質）、吸引部と受け体でもよいし（移動部が鉄等の吸引される材質）、さらに移動部、吸引部および受け体の３箇所全てが磁性を有してもよい。
【０００８】
以上の本発明によれば、面材を閉鎖した際に第１位置に移動した移動部と受け体との間に作用する磁力によって面材の閉鎖状態が維持され、面材を開放すると、移動部が磁力によって吸引部に向かって第２位置に移動することで、ばねを用いた場合よりも小さな操作力で面材を開放することができるとともに、移動部の移動に伴う音の発生も抑制することができ、利便性を高めることができる。すなわち、移動部に対して受け体との間に作用する磁力を吸引部との磁力よりも大きく設定しておくことで、面材を閉鎖した際に移動部が受け体側の第１位置に移動し、その際、吸引部との間に作用する磁力は、ばねを用いた場合のように移動部の移動量に比例して大きくならず、逆に第２位置から離れるにしたがって小さくなることから、移動部と受け体との間の磁力を必要以上に大きく設定する必要がない。従って、必要以上に大きな吸引力で移動部と受け体とが吸引されないことから、面材を開放する操作力を小さくすることができ、第２位置に戻る際の移動部の発生音を抑制することができる。
また、本発明では、移動体と受け体との間に位置調整手段が配置されるので、第１位置に移動した移動部が受け体と隙間を介して対向可能に構成されることになる。このため、移動部と受け体とを直接吸着させないことで、面材を閉じる際の音の発生もなくすことができ、利便性をさらに向上させることができる。
さらに、本発明によれば、位置調整手段によって移動部の第１位置を調整することで、受け体との吸引力を適宜に調整することができ、面材の建て込み調整などを行った場合でも吸引力を適正に確保することによって、面材の閉鎖状態を確実に維持させることができる。また、移動部と受け体とを直接吸着させない場合においては、その隙間寸法を適宜に調整することで、音の発生を防止しつつ吸引力を確保することができる。
【０００９】
参考としての建具は、枠体と、この枠体に開閉自在に支持される面材と、この面材の閉鎖状態を維持する閉鎖維持装置とを備えた建具であって、前記閉鎖維持装置は、前記面材および前記枠体の一方に設けられる装置本体と、他方に設けられる受け体とを備えて構成され、前記装置本体は、前記面材および前記枠体の一方に固定される支持部と、この支持部に移動自在に支持される移動部と、前記移動部を磁力で吸引する吸引部とを有し、前記受け体は、前記吸引部と反対方向かつ当該吸引部による吸引力よりも大きな磁力で前記移動部を吸引可能に構成され、前記面材の閉鎖状態において、前記受け体に吸引されて第１位置に移動した前記移動部と当該受け体との間に作用する磁力によって当該面材の閉鎖状態が維持され、前記面材の開放状態において、前記受け体から離隔された前記移動部が前記吸引部に向かって第２位置に移動可能に構成され、前記第１位置に移動した前記移動部が前記面材および前記枠体の一方から他方に向かって突出可能に構成され、前記第２位置に移動した前記移動部が前記面材および前記枠体の一方に没入可能に構成されていてもよい。
このような構成によれば、面材を閉鎖した際に第１位置に移動した移動部が突出することで、枠体と面材との適宜なクリアランスを確保しつつ、他方の受け体に移動部を接近させて吸引力を確実に発揮させることができる。一方、面材を開放した際に第２位置に移動した移動部が没入することで、移動部が邪魔になることなく出入りなどができ、利便性をさらに向上させることができる。
【００１０】
また、参考としての建具では、前記第１位置に移動した前記移動部が前記受け体に当接して吸着可能に構成されていてもよい。
このような構成によれば、移動部と受け体とを吸着させることで、互いの間に作用する磁力を必要以上に大きくしなくても最大の吸引力を得ることができ、面材の閉鎖状態を確実に維持させることができる。また、突出させた移動部を受け体に当接させて互いに吸着させることで、移動部が支持部から突出する移動量として、面材と枠体との対向部分のクリアランスよりも若干大きな移動量に設定しておくことで、面材の建て込み位置などによってクリアランスが多少変動した場合であっても、確実に移動部を受け体に吸着させて面材の閉鎖状態を維持することができる。
【００１１】
この際、参考としての建具では、前記移動部と前記受け体とは、それぞれ互いに当接可能な当接面を有して構成され、前記当接面は、前記枠体近傍における前記面材の開閉方向に平行に設けられるか、または開放方向に向かって傾斜を有して設けられていてもよい。
このような構成によれば、当接面を開閉方向と平行に設けることで、当接面同士が面内で摺接するせん断方向に面材を開放することとなり、面直交方向に引っ張る場合と比較して開放に要する操作力を確実に小さくすることができる。一方、開放方向に向かって当接面同士が傾斜を有して設けられていれば、開放に要する操作力をさらに小さくしたり、逆に開放方向に向かって若干の抵抗力を付与して面材の閉鎖状態を維持しやすくしたりなど、開放や閉鎖の状態を適宜に調節することができる。
【図面の簡単な説明】
【００１４】
【図１】本発明の第１実施形態に係る建具を示す横断面図である。
【図２】前記建具の閉鎖状態を拡大して示す横断面図である。
【図３】前記建具の開放状態を拡大して示す横断面図である。
【図４】前記建具に設けられる閉鎖維持装置の本体を示す斜視図である。
【図５】第１実施形態の変形例に係る建具を示す横断面図である。
【図６】本発明の第２実施形態に係る建具を示す横断面図である。
【図７】第２実施形態の変形例に係る建具を示す横断面図である。
【図８】本発明の参考例に係る建具を示す横断面図である。
【図９】前記参考例に係る建具の一部を示す縦断面図である。
【発明を実施するための形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１〜図３において、本実施形態に係る建具である浴室出入り口用のドア１は、図示しない浴室壁や床等に固定される枠体としての建具枠２と、この建具枠２に開閉自在に支持される面材としての障子３とを備えて構成されている。建具枠２は、図示しない上枠および下枠と左右の縦枠４とを有して構成されている。障子３は、図示しない上框および下框と左右の縦框５，６とを框組みした内部にパネル材７を嵌め込んで構成されている。障子３は、図１の左側である吊元側の縦框５の上下端部がピボットヒンジ８を介して上枠および下枠に回動自在に支持され、図１の右側である戸先側の縦框６が浴室側に開くように支持されている。このドア１には、閉じた障子３の閉鎖状態を維持する閉鎖維持装置１０が設けられている。
【００１７】
閉鎖維持装置１０は、戸先側の縦框６に設けられる装置本体１１と、戸先側の縦框６が対向する縦枠４に設けられる受け体１２とを備えて構成されている。装置本体１１は、図４にも示すように、縦框６に固定される支持部１３と、この支持部１３に移動自在に支持される移動部１４と、この移動部１４を磁力で吸引する吸引部１５とを有して構成されている。支持部１３は、樹脂製の一体成形部材であって、縦框６の見付け方向外側の端面（縦枠４の見込み面４１と対向する面）にビス止め固定される固定部１３１と、この固定部１３１から縦框６の内部側に延びて角筒状に形成された案内部１３２と、案内部１３２の奥側（固定部１３１と反対側）端部に吸引部１５を保持する保持部１３３とを有して形成されている。固定部１３１には、移動部１４を突没自在に支持して縦枠４側に開口した突没開口１３４が形成され、案内部１３２の側面には、移動部１４を案内する案内開口１３５が形成されている。
【００１８】
移動部１４は、樹脂製で保持部１３３側に開口した角筒状のケース１４１と、このケース１４１内部に設けられる磁石１４２と、ケース１４１に係合して磁石１４２を保持する保持片１４３とを有して構成されている。ケース１４１における突出側先端には、受け体１２と当接可能な当接面１４４が形成されている。吸引部１５は、磁石１４２を磁力で吸引可能な磁石等から構成される磁着体であってもよいし、磁石１４２に吸引される鉄等の材質から構成される被磁着体であってもよい。
【００１９】
受け体１２は、樹脂製で縦枠４の見込み面４１に固定されるカバー１２１と、このカバー１２１内部に設けられて移動部１４の磁石１４２を磁力で吸引可能な吸引体１２２とを有して構成されている。カバー１２１における障子３側には、移動部１４の当接面１４４と当接可能な当接面１２３が形成され、障子３の開放側側端部には、移動部１４を案内可能な傾斜面１２４が形成されている。吸引体１２２は、磁石１４２を磁力で吸引可能な磁石等から構成される磁着体であってもよいし、磁石１４２に吸引される鉄等の材質から構成される被磁着体であってもよい。このような受け体１２は、装置本体１１の吸引部１５と反対方向（移動部１４の突出方向）かつ吸引部１５による吸引力よりも強い磁力で移動部１４を吸引可能に構成されている。また、移動部１４および受け体１２において、磁石１４２および吸引体１２２は、互いの見込み方向幅寸法が略同一に設定されている。このように同一幅寸法とすることで、磁石１４２と吸引体１２２との吸引力が最大となる位置、つまり互いの重なり幅が最大となる位置で磁石１４２および吸引体１２２が吸着されることとなり、図２に示すように、障子３を所定の閉鎖位置で閉鎖することができる。
【００２０】
以上の閉鎖維持装置１０では、図２に示すように、障子３を閉鎖した状態において、受け体１２の吸引体１２２に磁石１４２が吸引されて移動部１４が突出位置（第１位置）に移動し、吸引体１２２と磁石１４２との間に作用する磁力によって、障子３の閉鎖状態が維持されるようになっている。この閉鎖状態において、障子３の縦框６は、縦枠４の突出片４２に取り付けられた気密材４３に当接し、これによりドア１の気密性が確保されるようになっている。このように障子３を閉鎖する際、突出した移動部１４の当接面１２３と受け体１２の当接面１４４とが互いに当接することから、その当接音は発生するものの、従来のラッチのようにばねを用いた係合ではないため、閉鎖の際に生じる衝撃音や、それに伴う振動などが小さくできる。さらに、ラッチ等の係合ではないことから、非常に軽い操作力で障子３が閉鎖できるとともに、ラッチのばねで障子３が戻ってしまう不完全閉鎖を防止することができるようになっている。また、障子３を閉鎖する際に操作力が足りずに閉鎖位置の手前で操作を止めてしまった場合でも、移動部１４の磁石１４２と受け体１２の吸引体１２２との吸引力によって障子３を閉鎖方向に引き寄せ、所定の閉鎖位置まで誘導することができ、これによっても不完全閉鎖を防止することができる。
【００２１】
一方、図３に示すように、障子３を開放した開放状態において、受け体１２から装置本体１１が離隔されることで、吸引体１２２による吸引が解除された移動部１４は、吸引部１５と磁石１４２との間に作用する磁力によって、案内部１３２の内部側に向かって没入位置（第２位置）に移動し、支持部１３から移動部１４が突出しないようになっている。このように障子３を開放する際、互いに当接した移動部１４の当接面１２３と受け体１２の当接面１４４とが摺接しつつ互いのせん断方向にずれるように移動するため、ラッチ等の係合を外す操作や衝撃音などがなく、比較的小さな開放操作力によりほぼ無音で障子３を開放することができるようになっている。さらに、障子３の開放状態において、支持部１３から移動部１４が突出しないことにより、体や衣服等が移動部１４に引っ掛かるようなことがなく、ドア１の利便性を向上させることができるようになっている。
【００２２】
なお、閉鎖維持装置１０では、図２〜図４に示すように、移動部１４の当接面１２３と受け体１２の当接面１４４とがそれぞれドア１の見込み方向に略平行、つまり縦枠４近傍における障子３の開閉方向（縦框６の移動方向）に略平行に設けられたものに限らず、図５に示すように、互いの当接面１２３，１４４が見込み方向に傾斜して設けられたものであってもよい。すなわち、当接面１２３，１４４は、障子３の開放方向（図５の上方）に向かって移動部１４が没入方向に移動するような傾斜を有して設けられている。従って、障子３を開放させる際に若干の抵抗力を受けることとなり、開放に要する操作力が若干大きくなるものの、障子３の閉鎖状態が維持されやすくなり、不意に障子３が開いてしまうことが防止できるようになっている。また、当接面１２３，１４４同士を平行にした場合よりも接触する表面積を大きくすることができるので、障子３の閉鎖状態における保持力をさらに高めることができる。なお、当接面１２３，１４４は、図５にしめした方向と逆向きの傾斜を有して設けられていてもよく、その場合には、図２〜図４のような見込み方向に略平行なものよりも、障子３の開放に要する操作力をさらに小さくすることができる。
【００２３】
また、本実施形態の閉鎖維持装置１０は、前述のように縦框６から縦枠４に向かって突出した移動部１４の当接面１２３が受け体１２の当接面１４４に当接する構成に限らず、突出した移動部１４の当接面１２３と受け体１２の当接面１４４との間に微小な（例えば、１mm程度の）隙間が形成されるものであってもよい。この際、装置本体１１および受け体１２のいずれか一方または両方には、見付け方向の位置調整手段が設けられていることが好ましく、この位置調整手段によって隙間寸法を調整可能とすることで、障子３の建て込み調整を行った場合などでも適正な隙間が確保できる。このような構成によれば、移動部１４と受け体１２とが当接しないことから、当接音を発生させずに障子３を閉鎖することができ、障子３の閉鎖状態においては、適宜な隙間を介して対向する移動部１４の磁石１４２と受け体１２の吸引体１２２とが磁力で吸引し合うことで、閉鎖状態を維持することができる。また、障子３を開放する際には、当接面１２３，１４４同士が摺接しないことから、摺接抵抗がなくなって開放に要する操作力をさらに小さくすることができる。
【００２４】
〔第２実施形態〕
次に、本発明の第２実施形態に係るドア１Ａについて、図６および図７を参照して説明する。本実施形態のドア１Ａは、前記第１実施形態と比較して閉鎖維持装置の構成が相違するものの、その他の構成は略同様であるため、以下、相違点を詳しく説明する。
ドア１Ａに設けられる閉鎖維持装置１０Ａは、障子３における戸先側の縦框６内部に設けられる装置本体１１Ａと、縦枠４の見込み面４１に設けられる受け体１２Ａとを有して構成されている。装置本体１１Ａは、縦框６内部に固定される支持部１３Ａと、支持部１３Ａの内部に縦框６の見付け方向に左右移動自在に支持される移動部１４Ａと、縦框６の見付け方向内部側（パネル材７側）に設けられる吸引部１５Ａとを有して構成されている。支持部１３Ａは、見付け方向左右に延びて移動部１４Ａを案内する案内部１３２を有し、移動部１４Ａは、磁石で構成されている。受け体１２Ａは、見込み面４１に固定されるカバー１２１と、カバー１２１内部に設けられて移動部１４Ａを磁力で吸引可能な吸引体１２２とを有して構成されている。
【００２５】
この閉鎖維持装置１０Ａでは、図６(Ａ)に示すように、障子３を閉鎖した状態において、受け体１２Ａの吸引体１２２に移動部１４Ａが吸引されて支持部１３Ａ内部の見付け方向外側（第１位置）に移動し、吸引体１２２と移動部１４Ａとの間に作用する磁力によって、障子３の閉鎖状態が維持されるようになっている。このように障子３を閉鎖する際、移動部１４Ａが受け体１２Ａに当接しないことから、当接音を発生させずに障子３を閉鎖することができ、障子３の閉鎖状態においては、移動部１４Ａと受け体１２Ａの吸引体１２２とが磁力で吸引し合うことで、閉鎖状態を維持することができる。一方、図６(Ｂ)に示すように、障子３を開放した開放状態において、吸引部１５Ａに吸引された移動部１４Ａが受け体１２Ａから離隔する方向である見付け方向外側（第２位置）に移動し、支持部１３Ａ内部で自由に移動しないことから音の発生が防止されている。また、障子３を開放する際には、移動部１４Ａと受け体１２Ａの吸引体１２２との磁力による吸引力に抗するだけの小さな操作力で障子３を開放することができる。
【００２６】
また、本実施形態の閉鎖維持装置１０Ａは、図７に示すように、移動部１４Ａの第１位置を調整する位置調整手段（位置調整部１６）を有して構成されていてもよい。この位置調整部１６は、支持部１３Ａの内部に係止される裏板１６１と、縦框６および支持部１３Ａを貫通して裏板１６１に螺合されるイモねじ１６２とを有し、イモねじ１６２の先端に移動部１４Ａを当接させることで、移動部１４Ａの第１位置を規定できるように構成されている。すなわち、図７(Ａ)に示すように、縦框６の見付け方向外側に向かってイモねじ１６２を緩める方向に回転させると、移動部１４Ａの第１位置が見付け方向外側に移動し、障子３の閉鎖状態において受け体１２Ａの吸引体１２２との距離が近づく、つまり吸引力が強まるように調整可能となっている。一方、図７(Ｂ)に示すように、縦框６の見付け方向内側に向かってイモねじ１６２を締め込む方向に回転させると、移動部１４Ａの第１位置が見付け方向内側（吸引部１５Ａ側）に移動し、障子３の閉鎖状態において受け体１２Ａの吸引体１２２との距離が遠ざかる、つまり吸引力が弱まるように調整可能となっている。
【００２７】
なお、本発明は、前記実施形態に限定されるものではなく、本発明の目的が達成できる他の構成等を含み、以下に示すような変形等も本発明に含まれる。
例えば、前記実施形態においては、浴室出入り口用のドア１，１Ａを例示して説明したが、本発明の建具としては、浴室出入り口用のドア１に限らず、部屋の入口などに設けられるドアであってもよいし、窓であってもよい。また、前記実施形態では、面材である障子３が回動開閉可能に設けられたドアを例示したが、面材の開閉形式としては、引戸などのようにスライド開閉可能なものでもよいし、折れ戸などのようにスライドかつ回動開閉可能なものであってもよい。ここで、建具が折れ戸の場合には、互いに折れ曲がり自在に連結される一対の障子の連結部と枠体との対向位置に閉鎖維持装置が設けられていればよく、具体的には、連結部の上下端部（または上下いずれかの端部）に装置本体（または受け体）を設けるとともに、枠体の上枠および下枠（または上枠および下枠のいずれか）に受け体（または装置本体）が設けられていればよい。また、本発明の建具が開き戸や引戸である場合でも、枠体における上枠および下枠の少なくとも一方に閉鎖維持装置の装置本体または受け体が設けられ、面材（障子）の戸先側上下端部の少なくとも一方に受け体または装置本体が設けられていてもよいし、これらと縦枠および縦框の装置本体および受け体を併用してもよい。
【００２８】
また、前記実施形態の閉鎖維持装置１０，１０Ａでは、装置本体１１，１１Ａが面材（障子３の縦框６）に設けられるとともに受け体１２，１２Ａが枠体（縦枠４）に設けられていたが、これに限らず、面材に受け体が設けられるとともに枠体に装置本体が設けられていてもよい。
また、前記実施形態の閉鎖維持装置１０，１０Ａでは、移動部１４，１４Ａに磁石（磁着体）が設けられるとともに吸引部１５，１５Ａと受け体１２，１２Ａとに被磁着体が設けられていたが、これに限らず、吸引部と受け体とに磁石等の磁着体が設けられるとともに移動部に被磁着体が設けられていてもよい。
また、前記実施形態の閉鎖維持装置１０，１０Ａでは、装置本体１１，１１Ａにおける移動部１４，１４Ａが面材の開閉方向（枠体近傍の開閉方向であり、見込み方向）と直交する方向（縦框６の見付け方向）に移動自在に設けられるとともに、面材の開放時に受け体１２，１２Ａに対してせん断方向に移動するように構成されていたが、これに限らず、面材の開閉方向に沿った方向に移動部が移動自在に設けられていてもよいし、面材の開閉方向とは無関係な方向に移動自在に設けられていてもよい。
また、前記実施形態の閉鎖維持装置１０，１０Ａにおいて、装置本体１１，１１Ａおよび受け体１２，１２Ａの一方に他方を係止する係止手段を設けてもよく、この係止手段としては、例えば、受け体の１２，１２Ａの浴室側端部に所定の掛かり代を有した突起状の引掛り部を設け、面材の閉鎖状態において引掛り部で移動部１４，１４Ａを引っ掛けるような構成が例示できる。このような係止手段を設けることで、面材が勢いよく閉鎖された場合であっても、面材の跳ね返りを防止して閉鎖状態とすることができ、また閉鎖状態の面材が不意に開放してしまうことが防止できる。また、係止手段としては、例えば、スポンジなどの弾性部材を受け体の１２，１２Ａの表面に取り付け、面材の閉鎖状態において弾性部材を移動部１４，１４Ａに当接させることで摩擦抵抗を付与するものであってもよい。
【００２９】
また、前記実施形態では、面材である障子３の閉鎖状態を維持するものの施錠機能のないラッチ装置として閉鎖維持装置１０，１０Ａを利用したが、施錠装置として閉鎖維持装置を利用することも可能であり、本発明を施錠装置２０として用いる参考例について図８および図９を参照して説明する。
施錠装置２０は、障子３の縦框６に設けられる装置本体２１と、縦枠４の見込み面４１に設けられる錠受け（受け体）２２と、装置本体２１を操作する操作部２７とを備えて構成されている。装置本体２１は、縦框６に固定される支持部２３と、この支持部２３に移動自在に支持される移動部２４と、この移動部２４を磁力で吸引する吸引部２５とを有して構成されている。
【００３０】
支持部２３は、縦框６の見付け方向外側の端面にビス止め固定される固定部２３１と、この固定部２３１から縦框６の内部側に延びて角筒状に形成された案内部２３２と、案内部２３２の奥側端部に吸引部２５を保持する保持部２３３とを有して形成されている。移動部２４は、樹脂製で保持部２３３側に開口した角筒状のケース２４１と、このケース２４１内部に設けられる磁石２４２と、ケース２４１に係合して磁石２４２を保持する保持片２４３とを有して構成されている。ケース２４１における突出側先端には、錠受け２２と一面（脱衣室側の面）が摺接可能かつ他面（浴室側の面）が係合可能なくさび状の係合先端部２４４が形成されている。吸引部２５は、磁石２４２を磁力で吸引可能な磁石等から構成される磁着体であってもよいし、磁石２４２に吸引される鉄等の材質から構成される被磁着体であってもよい。
【００３１】
錠受け２２は、樹脂製で縦枠４の見込み面４１に固定されるとともに、移動部２４の係合先端部２４４と係合して障子３の浴室側への開放を規制する係合凹部２２１を有して構成されている。操作部２７は、縦框６の浴室側側面に設けられる操作つまみ２７１と、この操作つまみ２７１に連結されて縦框６の内部に延びる回動部２７２と、この回動部２７２の内部に設けられ磁石２７３とを有して構成され、操作つまみ２７１の操作によって回動部２７２が略９０°だけ回動するようになっている。移動部２４の磁石２４２は、図９に示すように、移動部２４の突没方向（縦框６の見付け方向）において、突出側がＮ極とされ、没入側がＳ極とされている。一方、操作部２７の磁石２７３は、図９(Ａ)に示す施錠位置において、装置本体２１と反対側がＮ極とされ装置本体２１の側がＳ極とされるとともに、図９(Ｂ)に示す解錠位置において、縦框６の見付け方向内側（図の左側）がＮ極とされ見付け方向外側（図の右側）がＳ極とされている。
【００３２】
以上の施錠装置２０では、障子３を閉鎖した状態において、図９(Ａ)に示すように、操作部２７を施錠位置側に回動操作することで、磁石２７３のＳ極が装置本体２１に接近し、その磁力によって移動部２４の磁石２４２が反発力を受け、移動部２４が突出位置（第１位置）に移動し、その係合先端部２４４が錠受け２２の係合凹部２２１に係合して施錠されるようになっている。一方、図９(Ｂ)に示すように、操作部２７を解錠位置側に回動操作することで、磁石２７３のＮ極が見付け方向内側を向きＳ極が見付け方向外側を向くこととなり、この磁石２７３に移動部２４の磁石２４２が吸引され、移動部２４が案内部２３２の内部側に向かって没入位置（第２位置）に移動し、錠受け２２との係合が解除されて解錠されるようになっている。また、障子３を開放した状態において、万一、操作部２７を施錠位置側に回動して移動部２４が突出したままで障子３を閉鎖したとしても、移動部２４の係合先端部２４４の脱衣室側傾斜面が錠受け２２に摺接し、移動部２４が磁石２４２，２７３同士の反発力に抗して案内部２３２の内部側に向かって押し込まれることで、装置本体２１の破損が防止できるとともに、脱衣室側の非常解錠部２８を操作して回動部２７２を解錠位置側に回動させることで、施錠装置２０を解錠することができるようになっている。
【００３３】
なお、施錠装置２０において、装置本体２１に対して縦框６の長手方向に隣接して操作部２７が設けられるものに限らず、装置本体２１に対して錠受け２２と反対側（パネル材７側）に操作部２７が設けられてもよい。この場合には、操作つまみ２７１、回動部２７２および磁石２７３が１８０°回動可能に設けられ、装置本体２１側に磁石２７３のＳ極を向けた施錠位置とすることで、移動部２４の磁石２４２が反発力を受けて突出位置（第１位置）に移動し、装置本体２１側に磁石２７３のＮ極を向けた解錠位置とすることで、移動部２４の磁石２４２が吸引されて没入位置（第２位置）に移動するように構成できる。
また、施錠装置２０の操作部２７としては、磁石２７３の反発力によって移動部２４を突出させるものに限らず、磁石２７３の吸引力によって移動部２４を突出させ、磁石２７３の反発力によって移動部２４を没入させるように構成されていてもよい。
【００３４】
また、施錠状態において、万一操作部２７が破損して操作不能となってしまったような緊急時の場合でも、移動部２４と錠受け２２との磁力による吸引で施錠されているため、錠受け２２との磁力よりも大きな磁力を有した他の磁石を用いて移動部２４に反発力（または吸引力）を加えることで、施錠装置２０を解錠して障子３を開放することができる。また、係合先端部２４４の浴室側に適宜な傾斜面を設けておき、ある程度強い力で障子３を浴室側に押すことにより移動部２４を没入させ、これにより障子３を開放するようにしてもよい。この際、移動部２４が磁石２４３，２７３の反発力で突出しているだけであり、操作部２７と機械的に係合していないため、移動部２４を没入させても装置本体２１の各部が破損することがなく、施錠装置２０を継続使用することができる。
また、施錠装置２０において、縦枠４の側に移動部２４の磁石２４３を吸引可能な他の磁石を設けてもよく、これにより施錠状態を安定して維持させることができる。この場合でも、縦枠４側の磁石による吸引力よりも大きな反発力（または吸引力）で移動部２４を没入させるようにすれば、緊急時に障子３を開放することができる。
また、施錠装置２０において、移動部２４の磁石２４２と操作部２７磁石２７３とのＳ極およびＮ極は、前述のものと逆向きに配置されていてもよい。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３６】
１…ドア（建具）、２…建具枠（枠体）、３…障子（面材）、１０，１０Ａ…閉鎖維持装置、１１，１１Ａ…装置本体、１２，１２Ａ…受け体、１３，１３Ａ…支持部、１４，１４Ａ…移動部、１５，１５Ａ…吸引部、１６…位置調整部（位置調整手段）、１２３，１４４…当接面。
【図１】
0005462132.tif 000002
【図２】
0005462132.tif 000003
【図３】
0005462132.tif 000004
【図４】
0005462132.tif 000005
【図５】
0005462132.tif 000006
【図６】
0005462132.tif 000007
【図７】
0005462132.tif 000008
【図８】
0005462132.tif 000009
【図９】
0005462132.tif 000010